(57)【要約】【課題】設計テンプレート機能を用いた設計において、全てのパラメータの新規設計データが揃っていなくても、効率的に設計検討を行う。【解決手段】設計テンプレート機能を有する設計支援装置１００は、設計検討項目ごとのパラメータとの関数関係と基準設計データとを記憶する基準設計データ記憶部１１８と、新規設計データの置き換え入力をするための新規設計データ取得部１０６と、データの置き換え入力情報を記憶する置き換え入力情報記憶部１１２と、を備え、注目設計検討項目判断部１１６は、演算部１２０が行った演算の設計検討項目が、新規設計データに置き換えられたパラメータに依存する注目設計検討項目であるか、依存しない非注目設計検討項目であるか、を関数関係および置き換え入力情報に基づいて判断し、画像表示制御部１２２は、注目設計検討項目の演算結果を非注目設計検討項目の演算結果と識別して表示させる画像表示制御を行う。【選択図】図１
2005301481.tif 000002
【特許請求の範囲】
【請求項１】
基準モデルを構成する複数のパラメータにおける各々の基準設計データを、新たなモデルに対応する新規設計データに置き換えて設計を行う設計テンプレート機能を有する設計支援装置であって、
前記設計における設計検討項目ごとの前記パラメータとの関数関係と、前記各々のパラメータごとの基準設計データと、をそれぞれ記憶する基準設計データ記憶部と、
前記各々のパラメータの前記基準設計データを新規設計データに置き換える入力をするための新規設計データ取得部と、
前記パラメータのデータの置き換え入力情報を当該パラメータと関連付けて記憶する置き換え入力情報記憶部と、
前記パラメータの基準設計データおよび新規設計データに基づいて前記設計検討項目の演算を行う演算部と、
前記演算を行った設計検討項目が、前記新規設計データに置き換えられたパラメータに依存する注目設計検討項目であるか、前記新規設計データに置き換えられたパラメータに依存しない非注目設計検討項目であるか、を前記関数関係および前記置き換え入力情報に基づいて判断する注目設計検討項目判断部と、
前記設計検討項目の演算結果の画像表示を制御する画像表示制御部と、
を備え、
前記画像表示制御部は、前記注目設計検討項目の演算結果を非注目設計検討項目の演算結果と識別して表示させる制御を行うことを特徴とする設計支援装置。
【請求項２】
請求項１に記載の設計支援装置において、
前記画像表示制御部は、前記非注目設計項目の演算結果を表示させない制御を行うことを特徴とする設計支援装置。
【請求項３】
基準モデルを構成する複数のパラメータにおける各々の基準設計データを、新たなモデルに対応する新規設計データに置き換えて設計を行う設計テンプレート機能を用いた設計支援方法であって、
予め記憶された前記設計における設計検討項目ごとの前記パラメータとの関数関係と、前記各々のパラメータごとの基準設計データと、をそれぞれ読み出す基準設計データ読み出しステップと、
前記各々のパラメータの前記基準設計データのうち少なくとも１つを新規設計データに置き換える入力をする新規設計データ取得ステップと、
前記パラメータのデータの置き換え入力情報を当該パラメータと関連付けて記憶する置き換え入力情報記憶ステップと、
前記パラメータの基準設計データおよび新規設計データに基づいて前記設計検討項目の演算を行う演算ステップと、
前記演算を行った設計検討項目が、前記新規設計データに置き換えられたパラメータに依存する注目設計検討項目であるか、前記新規設計データに置き換えられたパラメータに依存しない非注目設計検討項目であるか、を前記関数関係および前記置き換え入力情報に基づいて判断する注目設計検討項目判断ステップと、
前記設計検討項目の演算結果の画像表示を制御する画像表示制御ステップと、
を含み、
前記画像表示制御ステップにおいて、前記注目設計検討項目の演算結果を非注目設計検討項目の演算結果と識別して表示させる制御を行うことを特徴とする設計支援方法。
【請求項４】
請求３に記載の設計支援方法において、
前記画像表示制御ステップにおいて、前記非注目設計項目の演算結果を表示させない制御を行うことを特徴とする設計支援方法。
【請求項５】
新たなモデルの設計を支援するためにコンピュータを、
基準モデルを構成する複数のパラメータにおける各々の基準設計データを、新たなモデルに対応する新規設計データに置き換えて設計を行う設計テンプレート機能、
前記設計における設計検討項目ごとの前記パラメータとの関数関係と、前記各々のパラメータごとの基準設計データをそれぞれ記憶する基準設計データ記憶手段、
前記各々のパラメータの前記基準設計データを新規設計データに置き換える入力をする新規設計データ取得手段、
前記パラメータのデータの置き換え入力情報を当該パラメータと関連付けて記憶する置き換え入力情報記憶手段、
前記パラメータの基準設計データおよび新規設計データに基づいて前記設計検討項目の演算を行う演算手段、
前記演算を行った設計検討項目が、前記新規設計データに置き換えられたパラメータに依存する注目設計検討項目であるか、前記新規設計データに置き換えられたパラメータに依存しない非注目設計検討項目であるか、を前記関数関係および前記置き換え入力情報に基づいて判断する注目設計検討項目判断手段、
前記設計検討項目の演算結果の画像表示を制御する画像表示制御手段、
として機能させ、
前記画像表示制御手段は、前記注目設計検討項目の演算結果を非注目設計検討項目の演算結果と識別して表示させる制御を行うことを特徴とする設計支援プログラム。
【請求項６】
請求項５に記載の設計支援プログラムにおいて、
前記画像表示制御手段は、前記非注目設計項目の演算結果を表示させない制御を行うことを特徴とする設計支援プログラム。
【発明の詳細な説明】
【技術分野】
【０００１】
本発明は、設計支援装置、特に基準モデルを構成する複数のパラメータにおける各々の基準設計データを、新たなモデルに対応する新規設計データに置き換えて設計を行う設計テンプレート機能を有する設計支援装置に関する。
【背景技術】
【０００２】
近年、新たな製品の設計工程において、設計テンプレート機能を有するＣＡＤ（Computer Aided Design：コンピュータ支援設計）等の設計支援装置を用いることが多い。設計テンプレート機能とは、設計パラメータが予め決まっている製品または製品の一部分の設計を、各パラメータに数値データを入力することにより、行うことができる機能である。設計テンプレート機能は、設計パラメータが予め決まっている汎用性のある製品、および製品の部分の設計において、設計者の負担を軽減し、設計工数が削減できる等の利点を有し、コンピュータの高速化により広く実用的に用いられるようになってきている。
【０００３】
このような設計支援装置は、各々のパラメータに入力した数値データに基づいて設計検討項目に関する演算を行い、その演算結果を画像表示装置等に表示させる。これにより、設計者は、設定したデータが設計検討項目の要求仕様を満足するか否か等について解析・検討を効率的に行うことができる。
【０００４】
設計テンプレート機能は、一般にその対象製品を構成する複数の設計パラメータに対してそれぞれ基準設計データを持つ。基準設計データとは、その設計対象製品の基準モデルをなす設計データである。設計者は新規設計を基準モデルに対する修正・変更として、予め記憶されている基準設計データに対するデータの置き換えという形で設計を行うことができる。
【０００５】
また、複数の工程に跨る複数の設計検討項目を含む製品の設計を効率よく行うための設計支援装置として、全体工程を管理する工程管理部を設け、各設計工程間の自動データ転送をさせてデータを置き換える構成が提案されている（例えば、特許文献１参照）。
【０００６】
【特許文献１】特開平７−９３３８７号公報
【発明の開示】
【発明が解決しようとする課題】
【０００７】
従来の設計テンプレート機能は、検討すべき設計項目からそれに関連するパラメータを揃える手順で作成されていた。したがって、検討すべき設計項目が異なる場合には、設計項目に合わせてそれぞれ設計テンプレートを用意していた。
【０００８】
逆に設計テンプレートに汎用性を持たせ、複数の設計検討項目を同時に検討できるように作成する場合もある。その場合、その全ての検討項目に関連するパラメータの設計データが決まっていれば、設計検討項目の演算、解析・検討ができる。しかしながら、製品品種や設計段階によっては、まず、一部の設計検討項目のみをその検討項目に関連するパラメータのみ決めて解析・検討したい場合がある。その場合、新規の設計データの入力されていないパラメータについて設計テンプレートに予め定められている基準設計データに基づいて設計検討項目の演算が行われてしまうため、画像表示装置に表示された複数の設計検討項目の演算結果のうち、どの結果が新規設計データを反映したものであるか識別することが困難であった。また、演算前に新規設計データに関係しない設計検討項目の演算をしないように仕分けすること、もしくは演算後に新規設計データに関係しない設計検討項目の結果表示を削除することは、設計の効率化の障害となっていた。
【０００９】
そこで本発明は、新規設計データに置き換えられたパラメータに依存する注目設計検討項目を新規設計データに関連していない非注目設計検討項目の演算結果と識別して表示させる制御を行うことを特徴とする設計支援装置、設計支援方法、および設計支援プログラムを提供する。
【課題を解決するための手段】
【００１０】
本発明の設計支援装置は、基準モデルを構成する複数のパラメータにおける各々の基準設計データを、新たなモデルに対応する新規設計データに置き換えて設計を行う設計テンプレート機能を有する設計支援装置であって、前記設計における設計検討項目ごとの前記パラメータとの関数関係と、前記各々のパラメータごとの基準設計データと、をそれぞれ記憶する基準設計データ記憶部と、前記各々のパラメータの前記基準設計データを新規設計データに置き換える入力をするための新規設計データ取得部と、前記パラメータのデータの置き換え入力情報を当該パラメータと関連付けて記憶する置き換え入力情報記憶部と、前記パラメータの基準設計データおよび新規設計データに基づいて前記設計検討項目の演算を行う演算部と、前記演算を行った設計検討項目が、前記新規設計データに置き換えられたパラメータに依存する注目設計検討項目であるか、前記新規設計データに置き換えられたパラメータに依存しない非注目設計検討項目であるか、を前記関数関係および前記置き換え入力情報に基づいて判断する注目設計検討項目判断部と、前記設計検討項目の演算結果の画像表示を制御する画像表示制御部と、を備え、前記画像表示制御部は、前記注目設計検討項目の演算結果を非注目設計検討項目の演算結果と識別して表示させる。
【００１１】
また、本発明の他の態様によれば、前記画像表示制御部は、前記非注目設計項目の演算結果を表示させない制御を行う。
【００１２】
また、本発明の設計支援方法は、基準モデルを構成する複数のパラメータにおける各々の基準設計データを、新たなモデルに対応する新規設計データに置き換えて設計を行う設計テンプレート機能を用いた設計支援方法であって、予め記憶された前記設計における設計検討項目ごとの前記パラメータとの関数関係と、前記各々のパラメータごとの基準設計データと、をそれぞれ読み出す基準設計データ読み出しステップと、前記各々のパラメータの前記基準設計データのうち少なくとも１つを新規設計データに置き換える入力をする新規設計データ取得ステップと、前記パラメータのデータの置き換え入力情報を当該パラメータと関連付けて記憶する置き換え入力情報記憶ステップと、前記パラメータの基準設計データおよび新規設計データに基づいて前記設計検討項目の演算を行う演算ステップと、前記演算を行った設計検討項目が、前記新規設計データに置き換えられたパラメータに依存する注目設計検討項目であるか、前記新規設計データに置き換えられたパラメータに依存しない非注目設計検討項目であるか、を前記関数関係および前記置き換え入力情報に基づいて判断する注目設計検討項目判断ステップと、前記設計検討項目の演算結果の画像表示を制御する画像表示制御ステップと、を含み、前記画像表示制御ステップにおいて、前記注目設計検討項目の演算結果を非注目設計検討項目の演算結果と識別して表示させる制御を行う。
【００１３】
また、本発明の他の態様によれば、前記画像表示制御ステップにおいて、前記非注目設計項目の演算結果を表示させない制御を行う。
【００１４】
また、本発明の設計支援プログラムは、新たなモデルの設計を支援するためにコンピュータを、基準モデルを構成する複数のパラメータにおける各々の基準設計データを、新たなモデルに対応する新規設計データに置き換えて設計を行う設計テンプレート機能、前記設計における設計検討項目ごとの前記パラメータとの関数関係と、前記各々のパラメータごとの基準設計データをそれぞれ記憶する基準設計データ記憶手段、前記各々のパラメータの前記基準設計データを新規設計データに置き換える入力をする新規設計データ取得手段、前記パラメータのデータの置き換え入力情報を当該パラメータと関連付けて記憶する置き換え入力情報記憶手段、前記パラメータの基準設計データおよび新規設計データに基づいて前記設計検討項目の演算を行う演算手段、前記演算を行った設計検討項目が、前記新規設計データに置き換えられたパラメータに依存する注目設計検討項目であるか、前記新規設計データに置き換えられたパラメータに依存しない非注目設計検討項目であるか、を前記関数関係および前記置き換え入力情報に基づいて判断する注目設計検討項目判断手段、前記設計検討項目の演算結果の画像表示を制御する画像表示制御手段、として機能させ、前記画像表示制御手段は、前記注目設計検討項目の演算結果を非注目設計検討項目の演算結果と識別して表示させる制御を行う。
【００１５】
また、本発明の他の態様によれば、前記画像表示制御手段は、前記非注目設計項目の演算結果を表示させない制御を行う。
【発明の効果】
【００１６】
本発明の設計支援方装置によれば、画像表示装置への設計検討項目の演算結果の表示において、設計者は前記新規設計データに置き換えられたパラメータに依存する注目設計検討項目の演算結果を容易に認識できるため、効率よく設計検討を行うことができ、設計時間が短縮し、設計コストを低減することができる。
【発明を実施するための最良の形態】
【００１７】
以下、本発明を実施するための最良の形態（以下、実施形態という）について、図面に基づいて説明する。
【００１８】
図１は、本発明の実施形態に係る設計支援装置１００の機能ブロック構成図である。設計支援装置１００は、コンピュータシステムで構成される本体部１０８を備え、本体部１０８には、新規設計データを取得するための新規設計データ取得部１０６が接続される。設計支援装置１００には、設計支援装置１００が演算・解析した結果を表示するための画像表示装置１０２が接続される。
【００１９】
本体部１０８は、設計対象の基準モデルを構成するパラメータごとの基準設計データと設計における設計検討項目ごとにパラメータとの関数関係とを記憶する基準設計データ記憶部１１８と、前記基準設計データと新規設計データ取得部１０６から取得された新規設計データとに基づいて設計検討項目の演算、解析を行う演算部１２０と、を備える。
【００２０】
演算部１２０は、コンピュータのＣＰＵ等により構成され、予めインストールされたプログラムにより、設計テンプレート機能を備え、画像表示制御部１２２を介して画像表示装置１０２に、設計対象となる製品ないし製品の部分についての全ての設計検討項目に関連するパラメータに数値データを入力する案内を表示する。
【００２１】
基準設計データ記憶部１１８は、ハードディスク装置や半導体メモリ等で構成され、設計対象の基準モデルを構成するパラメータごとの基準設計データと、設計における設計検討項目ごとにパラメータとの関数関係と、を記憶する。
【００２２】
新規設計データ取得部１０６は、キーボードやマウスなどのデータ入力装置、情報記録媒体からの情報読み取り装置、もしくはＬＡＮ等の電気通信回線から情報を取得する情報受信装置等により構成される。新規設計データ取得部１０６が取得した新規設計データは、設計テンプレート機能により、各々のパラメータの基準設計データを置き換える入力データとなる。演算部１２０は、新規設計データ取得部１０６が取得した新規設計データをパラメータと関連付けて一時的に記憶する。
【００２３】
また、新規設計データ取得部１０６が新規設計データを取得した履歴の情報であるデータの置き換え入力情報は、パラメータと関連付けて、ハードディスク装置や半導体メモリ等で構成される置き換え入力情報記憶部１１２に記憶される。
【００２４】
演算部１２０は、各パラメータに対して新規設計データ取得部１０６が取得した新規設計データおよび基準設計データ記憶部１１８が記憶している基準設計データに基づいて、予めプログラムされている設計検討項目を検討・解析するための演算を行う。新規設計データが取得されたパラメータに関しては、新規設計データを用いて演算を行い、新規設計データが取得されなかったパラメータに関しては、基準設計データを用いて演算を行う。演算は、基準設計データ記憶部１１８が記憶している各々の設計検討項目に対する各々パラメータとの関数関係に基づいて行われる。演算部１２０において演算された設計検討項目に関する検討・解析結果は、画像表示制御部１２２を介して画像表示装置１０２に表示される。設計者は、画像表示装置１０２に表示された設計検討項目に関する検討・解析結果を取得して、設計した新規モデルの評価を行い、その結果をフィードバックして設計を進める。
【００２５】
画像表示制御部１２２は、演算部１２０において行った演算結果等を画像表示装置１０２に所定の表示形式で表示するように画像表示信号処理を行う。
【００２６】
画像表示装置１０２は、ＣＲＴのような画像表示装置であっても良いし、紙等に印刷するプリンター等であってもよい。
【００２７】
本発明において特徴的なことは、設計支援装置１００が、置き換え入力情報記憶部１１２と、注目設計項目判断部１１６とを備え、その判断結果に基づいて演算結果の画像表示を制御することである。
【００２８】
注目設計項目判断部１１６は、演算部１２０において演算された設計検討項目が、新規設計データに置き換えられたパラメータに依存する注目設計検討項目であるか、新規設計データに置き換えられたパラメータに依存しない非注目設計検討項目であるか、を置き換え入力情報記憶部１１２に記憶された置き換え入力情報と基準設計データ記憶部１１８に記憶された関数関係とに基づいて判断する。
【００２９】
その判断結果を含む情報が、注目設計項目判断部１１６から画像表示制御部１２２に出力され、画像表示制御部１２２は、注目設計検討項目の演算結果を非注目設計検討項目の演算結果と識別して画像表示装置１０２に表示させるように画像表示信号を制御する。
【００３０】
設計者が検討したいのは、入力した新規設計データに関連する設計検討項目が要求仕様に対してどのような関係にあるかである。本実施形態によれば、新規設計データに置き換えられたパラメータに依存する注目設計検討項目の演算結果が、新規設計データに置き換えられたパラメータに依存しない非注目設計検討項目の演算結果と識別されて画像表示装置１０２に表示されるため、設計者は、演算された複数の設計検討項目の演算結果から、着目したい設計検討項目の演算結果の情報を迅速に取得することができ、設計工程を効率化することができる。
【００３１】
注目設計検討項目の演算結果を非注目設計検討項目の演算結果と識別して表示させるとは、例えば、注目設計検討項目の演算結果に対して非注目設計検討項目の演算結果の表示色を薄くしたり、表示明度を下げたり、図形表示の場合は、注目設計検討項目の演算結果に対して非注目設計検討項目の演算結果の線を細くしたり、点線・波線等にすることである。
【００３２】
本実施形態において、注目設計検討項目の演算結果を非注目設計検討項目の演算結果と識別して表示されるように画像表示装置１０２に画像信号を制御するものとしたが、画像表示制御部１２２は、非注目設計項目の演算結果を全く表示させない制御を行うことも好ましい。非注目設計項目の演算結果を表示させないようにすれば、設計者は、非注目設計項目の演算結果に邪魔されず注目設計項目のみ容易に取得することができる。本来、注目設計検討項目の演算結果と非注目設計検討項目の演算結果とが重なっているような場合であっても、設計者は注目設計検討項目の演算結果を容易に取得することができる。
【００３３】
本実施形態の設計支援装置１００によれば、設計対象について全ての設計検討項目を演算できる設計テンプレートを１つ作成しておけば、設計の初期で全ての設計データが決められない段階でも、一部の設計検討項目のみを効率的に検討・評価することができる。
【００３４】
次に、本発明の実施形態に係る設計支援方法を、自動車のボディのフロントタイヤハウス部の設計を例にとり説明する。図２は、設計を行う自動車のボディ１０とタイヤ１２との位置関係を示す断面図である。ボディのフロントタイヤハウスとタイヤとは、タイヤの操舵やサスペンションの動き等によるタイヤ外縁の軌跡がタイヤハウスと干渉せず、かつ外観意匠が好ましい関係にあることが必要とされる。ここでは、設計検討項目の例として、Ａ寸法：装着されうる最も直径の小さいタイヤに対するタイヤハウス下端とタイヤとの隙間寸法、Ｂ寸法：装着されうる最も太いタイヤに対するタイヤハウス張りだし寸法、およびＣ範囲：装着されうる最も太いタイヤが全操舵範囲および全サスペンション可動範囲に動いた場合のタイヤ外縁の軌跡範囲（以下、タイヤ外縁軌跡範囲という）の３つについて考える。
【００３５】
図２において、装着されうる最も直径の小さいタイヤの断面を小タイヤ断面１４、装着されうる最も太いタイヤのタイヤ断面を大タイヤ断面１６、装着されうる最も太いタイヤのタイヤ外縁軌跡範囲の断面をタイヤ外縁軌跡断面１８を示し、Ａ、Ｂ、およびＣが設計検討項目Ａ寸法、Ｂ寸法、およびＣ範囲を示す。
【００３６】
設計支援装置１００の設計テンプレートにおける設計検討項目、パラメータ、およびデータの関係を表１に示す。
【表１】
2005301481.tif 000003
【００３７】
表１に示すように、設計検討項目Ａは、装着されうる最も直径の小さいタイヤ寸法であるパラメータａのみから演算され、設計検討項目Ｂは、装着されうる最も太いタイヤ寸法であるパラメータｂのみから演算され、さらに設計検討項目Ｃは、装着されうる最も太いタイヤの外縁軌跡範囲であるパラメータｃのみから演算されるものとする。各パラメータにはそれぞれ基準設計データａ０、ｂ０およびｃ０が予め定められ、基準データ記憶部１１８に記憶されている。
【００３８】
図３に本発明の実施形態に係る設計支援手順を示す。まず、ａ、ｂおよびｃの全てのパラメータがそれぞれ新規設計データａ１、ｂ１およびｃ１として、決められる場合について説明する。
【００３９】
まず、演算部１２０は、基準設計データ記憶部１１８から基準設計データおよび設計検討項目情報を読み出す（Ｓ１００）。次に、新規設計データ取得部１０６は、ａ、ｂおよびｃの全てのパラメータに対して新規設計データａ１、ｂ１およびｃ１を取得する（Ｓ１０２）。新規設計データ取得部１０６がＳ１０２のデータの置き換え入力がされたという履歴情報であるデータの置き換え入力情報は、パラメータと関連付けて記憶される（Ｓ１０４）。演算部１２０は、これらの新規設計データに基づいて、Ａ，ＢおよびＣの設計検討項目を解析する演算を行う（Ｓ１０６）。次に、演算部１２０において演算された設計検討項目が、新規設計データに置き換えられたパラメータに依存する注目設計検討項目であるか、新規設計データに置き換えられたパラメータに依存しない非注目設計検討項目であるか、をＳ１０４において記憶した置き換え入力情報およびＳ１００において読み出した関数関係に基づいて判断する（Ｓ１０８）。この場合、演算された設計検討項目は、全て新規設計データに置き換えられたパラメータに依存する注目設計検討項目であるから、全ての設計検討項目の演算結果が画像表示装置１０２に表示される（Ｓ１１０）。
【００４０】
この場合、図２に示すように、設計支援装置１００の演算結果である、設計検討項目Ａ、Ｂ、およびＣの寸法が、画像表示装置１０２に表示され、装着されうる最も直径の小さいタイヤの断面である小タイヤ断面１４、装着されうる最も太いタイヤのタイヤ断面である大タイヤ断面１６、装着されうる最も太いタイヤのタイヤ外縁軌跡範囲の断面であるタイヤ外縁軌跡断面１８が、ボディ１０のタイヤハウスとの位置関係とともに表示される。
【００４１】
次に、ａ、ｂのパラメータのうち、ａおよびｂのみ決められる場合について説明する。表２にこの場合の設計テンプレートにおける設計検討項目、パラメータ、およびデータの関係を示す。
【表２】
2005301481.tif 000004
【００４２】
表２に示すように、ａおよびｂのパラメータは、それぞれａ２およびｂ２と決められている。この場合、新規設計データ取得部１０６からａおよびｂのパラメータに新規設計データａ２およびｂ２が入力される（Ｓ１０２）。データの置き換え入力情報として、パラメータａおよびｂのみ書き換えられ、パラメータｃは書き換えられていないことが記憶される（Ｓ１０４）。演算部１２０は、新規設計データａ２およびｂ２、ならびに新規設計データが入力されていないパラメータｃについては基準設計データｃ０に基づいて、Ａ，ＢおよびＣの設計検討項目を解析する演算を行う（Ｓ１０６）。次に、演算部１２０において演算された設計検討項目が、新規設計データに置き換えられたパラメータに依存する注目設計検討項目であるか、新規設計データに置き換えられたパラメータに依存しない非注目設計検討項目であるか、をＳ１０４において記憶した置き換え入力情報およびＳ１００において読み出した設計検討項目情報に基づいて判断する（Ｓ１０８）。この場合、演算された設計検討項目ＡおよびＢは、注目設計検討項目であり、設計検討項目Ｃは、非設計検討項目であると判断される。そして、図４に示すように、画像信号処理により、設計検討項目ＡおよびＢの演算結果のみ画像表示し（Ｓ１１０）、非設計検討項目である設計検討項目Ｃを表示しない（Ｓ１１２）という画像制御を行う。
【００４３】
この場合、図４に示すように、設計支援装置１００の演算結果である、設計検討項目Ａ、Ｂ、およびＣの寸法のうち、ＡとＢの寸法のみが、画像表示装置１０２に表示され、装着されうる最も直径の小さいタイヤの断面である小タイヤ断面１４、および装着されうる最も太いタイヤのタイヤ断面である大タイヤ断面１６のみが、ボディ１０のタイヤハウスとの位置関係とともに表示される。設計者が注目していない、基準設計データのみから演算された結果である設計検討項目Ｃ、およびタイヤ外縁軌跡断面１８は、画像表示装置１０２に表示されない。なお、非設計検討項目である設計検討項目Ｃの演算結果は、表示させないのではなく、注目設計検討項目ＡおよびＢの演算結果と識別して表示するようにしてもよい。
【００４４】
本発明の実施形態に係る設計支援方法によれば、全ての設計検討項目に関する設計データを入力して全ての設計検討項目を演算できる１つの設計テンプレートにより、全てのパラメータの新規設計データが揃っていない段階においても、揃っている新規設計データのみで検討したい設計検討項目について効率的に検討することができる。
【００４５】
また、本発明は、上記の実施形態における設計支援方法を実行するための、コンピュータ読み取り可能なプログラムであってもよく、そのプログラムはＣＡＤ機能を備えたパーソナルコンピュータやワークステーションなどのコンピュータで実行され、上記の設計支援方法が実現される。このプログラムは、ハードディスク（ＨＤ）、フロッピー（登録商標）ディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットなどのネットワークを介して配布することが可能な伝送媒体であってもよい。
【図面の簡単な説明】
【００４６】
【図１】本発明の実施形態に係る設計支援装置１００の機能ブロック構成を示す図である。
【図２】設計例である自動車のボディ１０とタイヤ１２との位置関係を示す断面図である。
【図３】本発明の実施形態に係る設計支援手順を示すフロー図である。
【図４】設計検討結果の表示例を示す図である。
【符号の説明】
【００４７】
１０  自動車ボディ、１２  タイヤ、１４，１６  タイヤ断面、１８  タイヤ外縁軌跡断面、１００  設計支援装置、１０２  画像表示装置、１０６  新規設計データ取得部、１０８  本体部、１１２  入力情報記憶部、１１６  注目設計項目判断部、１１８  基準設計データ記憶部、１２０  演算部、１２２  画像表示制御部。
【図１】
2005301481.tif 000005
【図２】
2005301481.tif 000006
【図３】
2005301481.tif 000007
【図４】
2005301481.tif 000008